(57)【要約】【課題】液晶表示装置の画質の向上を実現することを目的とする。【解決手段】本発明の液晶表示装置１ａは、発光素子２７からの光が上面２８ａ１から出射される出射部２８ａと、前記発光素子と前記出射部との間に位置する、前記出射部の側面２８ａ２に接続する接続部２８ｂと、を有する導光板２８と、前記接続部の上面２８ｂ１の上方に配置された遮光シート３０と、前記接続部の上面の上方に配置されたフレキシブル配線基板２ｂと前記出射部の上面の少なくとも一部を覆うように配置された、複数の光学シート２６ａが積層してなる光学部材２６と、前記光学部材の上方に配置された液晶表示パネル１０と、を備え、前記遮光シートは、前記出射部側の端部３０ｃが前記光学部材と前記導光板との間に位置し、前記接続部側の端部３０ｄが前記フレキシブル配線基板に接することを特徴とする。【選択図】図３
2014222273.tif 000002
【特許請求の範囲】
【請求項１】
発光素子からの光が上面から出射される出射部と、前記発光素子と前記出射部との間に位置する、前記出射部の側面に接続する接続部と、を有する導光板と、
前記接続部の上面の上方に配置された遮光シートと、
前記接続部の上面の上方に配置されたフレキシブル配線基板と
前記出射部の上面の少なくとも一部を覆うように配置された、複数の光学シートが積層してなる光学部材と、
前記光学部材の上方に配置された液晶表示パネルと、を備え、
前記遮光シートは、
前記出射部側の端部が前記光学部材と前記導光板との間に位置し、
前記接続部側の端部が前記フレキシブル配線基板に接する、
ことを特徴とする液晶表示装置。
【請求項２】
請求項１に記載の液晶表示装置において、
前記遮光シートの前記接続部側の下面に、前記遮光シートと前記導光板との間隔を塞ぐ閉塞部材が接着されていることを特徴とする液晶表示装置。
【請求項３】
請求項２に記載の液晶表示装置において、
前記遮光シートと前記フレキシブル配線基板の接する領域よりも前記出射部側において、
前記フレキシブル配線基板の前記出射部側の前記下面の一部と前記遮光シートの前記上面の一部とが粘着性を有する遮光基材を介して固定され、
前記フレキシブル配線基板の前記出射部側の前記下面と前記導光板との間に、前記閉塞部材と前記遮光シートと前記遮光基材とが重なって配置される、
ことを特徴とする液晶表示装置。
【請求項４】
請求項１乃至３のいずれか一項に記載の液晶表示装置において、
前記光学部材が第１光学シートと前記第１光学シート上に積層される第２光学シートとを備え、
前記第１光学シートが、
前記第２光学シートと重なる部分である重なり部と、
前記第２光学シートよりも前記接続部側に延出した部分である延出部と、
を有し、
前記遮光シートの前記出射部側の端部が、前記延出部と前記導光板との間に位置し、
前記重なり部の下面の少なくとも一部が前記導光板の上面に接することを特徴とする液晶表示装置。
【請求項５】
請求項１乃至４のいずれか一項に記載の液晶表示装置において、
前記接続部の上面が、前記出射部の上面に対して傾斜していることを特徴とする液晶表示装置。
【発明の詳細な説明】
【技術分野】
【０００１】
本発明は液晶表示装置に関する。
【背景技術】
【０００２】
コンピュータ等の情報通信端末やテレビ受像機の表示デバイスとして、液晶表示パネルとバックライトとを有する液晶表示装置が知られている。液晶表示パネルは、２つの互いに対向した基板と、基板同士の間に挟まれた液晶とを有している。これら基板としては、カラーフィルタ基板や薄膜トランジスタ基板が挙げられる。また、液晶は液晶分子の配向を変化させることにより、バックライトから液晶表示パネルに照射された光の透過度合いを変化させ、液晶表示パネルに画像を表示させる。
【０００３】
このような液晶表示装置としては、例えば、特許文献１において、発光ダイオードと、表示領域と非表示領域に区画されたＴＦＴ基板と、導光板と、拡散シートと、下側プリズムシートと、上側プリズムシートと、フレキシブル基板と、液晶表示パネルとを有する液晶表示装置が開示されている。この液晶表示装置においては、拡散シート及び下側プリズムシートは導光板の表示領域に対応する領域上に配置され、上側プリズムシートは非表示領域に対応する領域に着色領域が設けられ、フレキシブル基板は導光板の非表示領域に対応する領域上に配置されている。
【先行技術文献】
【特許文献】
【０００４】
【特許文献１】特開２００８−１７０７３９号公報
【発明の概要】
【発明が解決しようとする課題】
【０００５】
特許文献１に記載の液晶表示装置においては、表示領域に対応する領域における拡散シート、下側プリズムシート及び上側プリズムシートと、非表示領域に対応する領域における導光板の表面との間に光を遮る部材が設けられていないため、導光板の表面の非表示領域に対応する領域から液晶表示パネル側に出射した光は、表示領域側において上側プリズムシートや拡散シート及び下側プリズムシートの側面に直接入射する。
【０００６】
このため、このような構成においては、観察者が液晶表示パネルの外側正面から画面を見た場合に、導光板の非表示領域から出射した光が斜め方向から視界に入るおそれがある。
【０００７】
本発明は、このような事情に鑑みてなされたものであって、液晶表示装置の画質の向上を実現することを目的とする。
【課題を解決するための手段】
【０００８】
（１）本発明の液晶表示装置は、発光素子からの光が上面から出射される出射部と、前記発光素子と前記出射部との間に位置する、前記出射部の側面に接続する接続部と、を有する導光板と、前記接続部の上面の上方に配置された遮光シートと、前記接続部の上面の上方に配置されたフレキシブル配線基板と前記出射部の上面の少なくとも一部を覆うように配置された、複数の光学シートが積層してなる光学部材と、前記光学部材の上方に配置された液晶表示パネルと、を備え、前記遮光シートは、前記出射部側の端部が前記光学部材と前記導光板との間に位置し、前記接続部側の端部が前記フレキシブル配線基板に接することを特徴とする。
【０００９】
（２）本発明の液晶表示装置は、（１）において、前記遮光シートの前記接続部側の下面に、前記遮光シートと前記導光板との間隔を塞ぐ閉塞部材が接着されていてもよい。
【００１０】
（３）本発明の液晶表示装置は、（２）において、前記遮光シートと前記フレキシブル配線基板の接する領域よりも前記出射部側において、前記フレキシブル配線基板の前記出射部側の前記下面の一部と前記遮光シートの前記上面の一部とが粘着性を有する遮光基材を介して固定され、前記フレキシブル配線基板の前記出射部側の前記下面と前記導光板との間に、前記閉塞部材と前記遮光シートと前記遮光基材とが重なって配置されてもよい。
【００１１】
（４）本発明の液晶表示装置は、（１）乃至（３）のいずれか一項において、前記光学部材が第１光学シートと前記第１光学シート上に積層される第２光学シートとを備え、前記第１光学シートが、前記第２光学シートと重なる部分である重なり部と、前記第２光学シートよりも前記接続部側に延出した部分である延出部と、を有し、前記遮光シートの前記出射部側の端部が、前記延出部と前記導光板との間に位置し、前記重なり部の下面の少なくとも一部が前記導光板の上面に接してもよい。
【００１２】
（５）本発明の液晶表示装置は、（１）乃至（４）のいずれか一項において、前記接続部の上面が、前記出射部の上面に対して傾斜していてもよい。
【発明の効果】
【００１３】
本発明における液晶表示装置は、本構成を有さない液晶表示装置と比べ、観察者が液晶表示パネルの外側正面から液晶表示パネルを観察した場合に、接続部の上面から出射された光が斜め方向から視界に入ることが防がれる。このため、液晶表示装置の画質の向上を実現させることができる。
【図面の簡単な説明】
【００１４】
【図１】図１は本発明の第１の実施形態に係る液晶表示装置の概略平面図である。
【図２】図２は図１に示す液晶表示装置を分解した概略斜視図である。
【図３】図３は図２に示す液晶表示装置のＩＩＩ−ＩＩＩ切断線における概略断面図である。
【図４】図４は本発明の第２の実施形態に係る液晶表示装置を分解した概略斜視図である。
【図５】図５は図４に示す液晶表示装置のＶ−Ｖ切断線における概略断面図である。
【図６】図６は本発明の一実施形態に係る液晶表示装置の変形例を図３と同様の視野において示す概略断面図である。
【発明を実施するための形態】
【００１５】
以下、本発明の第１の実施形態に係る液晶表示装置１ａについて図面に基づいて説明する。なお、以下の説明において参照する図面は、特徴をわかりやすくするために便宜上特徴となる部分を拡大して示している場合があり、各構成要素の寸法比率などは実際と同じであるとは限らない。また、以下の説明において例示される材料等は一例であって、各構成要素はそれらと異なっていてもよく、その要旨を変更しない範囲で変更して実施することが可能である。
【００１６】
図１は本発明の第１の実施形態に係る液晶表示装置１ａの概略平面図であり、図２は図１に示す液晶表示装置１ａを分解した概略斜視図である。本実施形態に係る液晶表示装置１ａは、液晶表示パネル１０と、ＩＣチップ（Integrated Circuit）３と、第１のフレキシブル配線基板２ａと、バックライト２０と、を有している。なお、本実施形態においては便宜上、図２において各構成の位置関係をＸ軸（Ｘ１方向、Ｘ２方向）、Ｙ軸（Ｙ１方向、Ｙ２方向）、Ｚ軸（Ｚ１方向、Ｚ２方向）の座標により説明する。
【００１７】
液晶表示パネル１０は、バックライト２０から照射される光の透過率を制御することにより、所望の画像をその上面に表示するパネルである。液晶表示パネル１０は、バックライト２０を構成する、後述する光学部材２６の上方（図２のＺ１方向側）に配置されている。
【００１８】
液晶表示パネル１０は例えば、矩形の第１基板１２と、第２基板１４と、上偏光板１６と、下偏光板１８とを有している。第１基板１２は、例えば図示しないカラーフィルタを有するカラーフィルタ基板である。カラーフィルタ基板が第１基板１２として用いられることにより、液晶表示装置１ａはカラー表示を可能とする。
【００１９】
第２基板１４は、図示しない薄膜トランジスタが形成される基板である。第２基板１４としては例えばＴＦＴ（Thin Film Transistor）基板が用いられる。第２基板１４は表示領域Ｄとその外側の非表示領域Ｅとに区画されており、表示領域Ｄにおいては、図示しない薄膜トランジスタが形成されている。また、表示領域Ｄの上面には、第１基板１２が表示領域Ｄの上面に対向して配置される。
【００２０】
第１基板１２と第２基板１４の間には、図示しない液晶が封止されている。また、第１基板１２の上側（図２におけるＺ１方向側）には上偏光板１６が貼り付けられ、第２基板１４の下側（図２におけるＺ２方向側）には下偏光板１８が貼り付けられている。
【００２１】
図２に示すように、第２基板１４は、例えばその長手方向（図２におけるＹ１、Ｙ２方向）の長さが、第１基板１２の長手方向の長さよりも長い。このため、第２基板１４の一部分は基板１２と重なり合わずにＹ２方向に突出する。この一部分の上面１４ａには、例えば第１のフレキシブル配線基板２ａとＩＣチップ３が設けられている。
【００２２】
ＩＣチップ３は、液晶表示装置１ａの外部から第１のフレキシブル配線基板２ａを介して画像データが供給されるＩＣ（Integrated Circuit）である。また、ＩＣチップ３は、第２基板１４の非表示領域Ｅに形成された図示しない配線によって、表示領域Ｄ内の薄膜トランジスタに接続されている。
【００２３】
バックライト２０は、液晶表示パネル１０に光を照射する部材である。本実施形態におけるバックライト２０は図２に示すように、底部材２３と、フレーム２４と、光学部材２６と、導光板２８と、反射シート２９と、遮光シート３０と、閉塞部材３１ａとを有している。
【００２４】
フレーム２４は、例えばモールド成形された枠状の樹脂からなり、その下側が底部材２３によって覆われることにより、その内側に光学部材２６と、発光素子２７と、導光板２８と、反射シート２９とを収納可能としている。また、フレーム２４は液晶表示パネル１０をバックライト２０に固定するための部材であり、例えば下偏光板１８の下面に両面テープなどの図示しない接着層により固定されている。
【００２５】
導光板２８は、発光素子２７からの光を、表示領域Ｄに対応する領域である上面２８ａ１から出射する部材である。導光板２８は例えばアクリルなどの透明な樹脂からなるが、透光性を有する材料であれば、その他の材料が用いられてもよい。
【００２６】
発光素子２７としては例えば発光ダイオードを用いることができる。また、導光板２８の側面に配置される発光素子２７の数は特に限定されず、導光板２８の大きさや求める輝度に応じて任意の数とすることができる。
【００２７】
導光板２８は、発光素子２７からの光がその上面２８ａ１から出射される出射部２８ａと、発光素子２７と出射部２８ａとの間に位置する、出射部２８ａの側面２８ａ２に接続する接続部２８ｂと、を有している。本実施形態においては、出射部２８ａは接続部２８ｂのＹ１方向側に位置している。
【００２８】
出射部２８ａは、平面視で表示領域Ｄに重なるように配置されており、接続部２８ｂは平面視で非表示領域Ｅに重なるように配置されている。接続部２８ｂには例えばそのＹ２方向側の側面に設けられた凹部である、複数の発光素子配置部２８ｂ２が形成されており、発光素子２７は発光素子配置部２８ｂ２にそれぞれ配置されている。発光素子配置部２８ｂ２のＹ１方向側の側面は、発光素子２７の発光を導光板２８内に入光させる入光面２８ｂ３として機能する。なお、接続部２８ｂの上面２８ｂ１は、出射部２８ａの上面２８ａ１に対して、上面２８ａ１に向かって近づくように傾斜していることが好ましい。
【００２９】
このような構成を有することにより、発光素子２７から接続部２８ｂに入射した光は接続部２８ｂ及び出射部２８ａの内部を伝達し、出射部２８ａの上面２８ａ１から出射される。これにより、上面２８ａ１は面光源として機能する。
【００３０】
反射シート２９は、発光素子２７から導光板２８に入射した光を液晶表示パネル１０側へ向けて反射させるために設けられている。反射シート２９は導光板２８の下方（Ｚ２方向側）を覆うように配置されている。反射シート２９の材料は特に限定されないが光反射率が高い材料であるほど好ましく、例えばアルミニウム等の金属膜を用いることができる。このような構成を有することにより、発光素子２７から導光板２８に入射する光は反射シート２９により反射されて、出射部２８ａの上面２８ａ１から出射される。
【００３１】
導光板２８の上方（Ｚ１方向側）には、遮光シート３０と、閉塞部材３１ａと、第２のフレキシブル配線基板２ｂとが配置されている。なお、これらの詳細な構成については、説明の便宜上後述する。
【００３２】
光学部材２６は導光板２８の上面２８ａ１から出射された光の角度分布や拡散を制御する、透光性を有する部材である。光学部材２６は、複数の光学シート２６ａが積層してなり、導光板２８の出射部２８ａの上面２８ａ１の少なくとも一部を覆うように配置されている。
【００３３】
このような構成を有することにより、導光板２８の上面２８ａ１から出射された光は、光学部材２６の上方（Ｚ１方向側）に配置された液晶表示パネル１０に、光学部材２６を介して伝達される。
【００３４】
図３は図２に示す液晶表示装置１ａのＩＩＩ−ＩＩＩ切断線における概略断面図である。以下、遮光シート３０、閉塞部材３１ａ及び第２のフレキシブル配線基板２ｂの詳細な構成について説明する。
【００３５】
遮光シート３０は、接続部２８ｂの上面２８ｂ１から出射する光を、上面２８ｂ１と光学部材２６の側面２６ｃとの間で遮断する部材である。遮光シート３０は接続部２８ｂの上面２８ｂ１の上方（Ｚ１方向側）に配置されている。また、出射部２８ａ側（Ｙ１方向側）の端部３０ｃは光学部材２６と導光板２８との間に位置し、接続部２８ｂ側（Ｙ２方向側）の端部３０ｄは第２のフレキシブル配線基板２ｂに接するように配置されている。
【００３６】
具体的には例えば、遮光シート３０の上面３０ａのうち、出射部２８ａ側（Ｙ１方向側）の面３０ａ１は光学部材２６の下面２６ｂに接し、遮光シート３０の下面３０ｂのうち、出射部２８ａ側（Ｙ１方向側）の面３０ｂ１は導光板２８の出射部２８ａの上面２８ａ１に接し、遮光シート３０の上面３０ａのうち、接続部２８ｂ側（Ｙ２方向側）の面３０ａ２は第２のフレキシブル配線基板２ｂの下面２ｂ１のうち出射部２８ａ側（Ｙ１方向側）の領域に接している。
【００３７】
このような構成を有することにより、遮光シート３０の端部３０ｃは、光学部材２６の下面２６ｂと導光板２８の上面２８ａ１との間に挟まれた構成となり、接続部２８ｂの上面２８ｂ１と光学部材２６の側面２６ｃとの間は、遮光シート３０によって区画される。
【００３８】
なお、遮光シート３０の配置はここに挙げた例に限られず、端部３０ｃが光学部材２６と導光板２８との間に位置し、端部３０ｄが第２のフレキシブル配線基板２ｂに接するように配置されていればその他の配置であってもよい。例えば、遮光シート３０の端部３０ｄは、第２のフレキシブル配線基板２ｂの上面２ｂ２上に位置してもよい。
【００３９】
遮光シート３０としては、遮光性を有するシートであれば、任意の部材を用いることができる。具体的には例えば、上面３０ａに粘着性を有する、遮光性の片面テープを用いることができる。このように粘着性を有するテープを遮光シート３０として用いることにより、遮光シート３０の上面３０ａは第２のフレキシブル配線基板２ｂの下面２ｂ１と光学部材２６の下面２６ｂに接着されて、その位置ずれを防ぐことができる。
【００４０】
第２のフレキシブル配線基板２ｂは、発光素子２７及び接続部２８ｂの上面２８ｂ１の上方（Ｚ１方向側）を覆うように配置されている。第２のフレキシブル配線基板２ｂの下面２ｂ１のうち接続部２８ｂ側（Ｙ２方向側）の領域は図示しない粘着層により発光素子２７上に接着されている。
【００４１】
遮光シート３０の下面３０ｂのうち接続部２８ｂ側（Ｙ２方向側）の面３０ｂ２には、閉塞部材３１ａが接着されている。閉塞部材３１ａは、遮光シート３０と導光板２８との間隔を塞ぐために配置された部材である。閉塞部材３１ａは具体的には例えば、その上面側に粘着性が付与された片面テープからなり、遮光シート３０の面３０ｂ２に接着されることにより、接続部２８ｂ側の面３０ｂ２と導光板２８の上面２８ｂ１との間の間隔を塞いでいる。なお、閉塞部材３１ａは遮光性を有する部材からなることが好ましい。
【００４２】
面３０ｂ２と導光板２８の上面２８ｂ１との間は、閉塞部材３１ａによって完全にふさがれていることが好ましいが、図３に示すように、閉塞部材３１ａによって、面３０ｂ２と導光板２８の上面２８ｂ１との間の少なくとも一部の領域が塞がれていればよい。閉塞部材３１ａのＺ１、Ｚ２方向の厚さは、面３０ｂ２と導光板２８の上面２８ｂ１との間隔に応じて、適宜設定される。
【００４３】
本実施形態における液晶表示装置１ａは、接続部２８ｂの上面２８ｂ１と光学部材２６の側面２６ｃとの間が遮光シート３０によって区画されることにより、発光素子２７からの光が接続部２８ｂの上面２８ｂ１から出射されても、その光は遮光シート３０によって遮断される。これにより、接続部２８ｂの上面２８ｂ１から出射された光が光学部材２６の側面２６ｃに到達することが防がれる。
【００４４】
これにより、本構成を有さない液晶表示装置と比べ、観察者が液晶表示パネル１０の外側（Ｚ１方向側）から液晶表示パネル１０を観察した場合に、接続部２８ｂの上面２８ｂ１から出射された光が視界に入ることが防がれる。このため、液晶表示装置１ａの画質の向上を実現させることができる。
【００４５】
また、本実施形態における液晶表示装置１ａは、遮光シート３０の下面３０ｂのうち接続部２８ｂ側（Ｙ２方向側）の面３０ｂ２と導光板２８の上面２８ｂ１との間に閉塞部材３１ａが配置されることにより、遮光シート３０と導光板２８との間の間隔が塞がれる。このような構成を有することにより、接続部２８ｂの上面２８ｂ１から出射された光が、遮光シート３０と閉塞部材３１ａにより遮断される。このため、接続部２８ｂの上面２８ｂ１から出射された光が観察者の視界に入ることが防がれ、液晶表示装置１ａの画質の向上を実現させることができる。
【００４６】
また、閉塞部材３１ａが配置されていることにより、第２のフレキシブル配線基板２ｂから遮光シート３０が剥がれた場合であっても、遮光シート３０の上面３０ａのうち接続部２８ｂ側（Ｙ２方向側）の面３０ａ２と第２のフレキシブル配線基板２ｂの下面２ｂ１との間に隙間が生じることが防がれる。このため、本構成を有さない液晶表示装置と比べ、遮光シート３０が剥がれた場合における、接続部２８ｂの上面２８ｂ１から出射された光による画質の低下を抑えることができる。
【００４７】
また、本実施形態における液晶表示装置１ａは、接続部２８ｂの上面２８ｂ１が、出射部２８ａの上面２８ａ１に対して傾斜していることにより、本構成を有さない液晶表示装置と比べ、発光素子２７から導光板２８内に入射された光を上面２８ｂ１において反射させることができる。このため、接続部２８ｂの上面２８ｂ１から光が出射することが防がれ、液晶表示装置１ａの画質の向上を実現させることができる。
【００４８】
次いで、本発明の第２の実施形態に係る液晶表示装置１ｂについて説明する。第２の実施形態に係る液晶表示装置１ｂは、遮光基材３２を有する点と、光学部材１２６の構成とが、第１の実施形態に係る液晶表示装置１ａと異なっている。よって、以下、遮光基材３２に関する構成と光学部材１２６の構成について説明し、第１の実施形態に係る液晶表示装置１ａと同様の構成についてはその説明を省略する。
【００４９】
図４は本発明の第２の実施形態に係る液晶表示装置１ｂを分解した概略斜視図であり、図５は図４に示す液晶表示装置１ｂのＶ−Ｖ切断線における概略断面図である。本実施形態における光学部材１２６は、第１光学シート１２６ａと第１光学シート１２６ａ上に積層される第２光学シート１２６ｂとを有している。
【００５０】
第１光学シート１２６ａは光学部材１２６を構成する複数の光学シートのうち、最も下方（Ｚ２方向側）に位置するシートである。第１光学シート１２６ａは第２光学シート１２６ｂと重なる部分である重なり部１２６ａ１と、第２光学シート１２６ｂよりも接続部２８ｂ側に延出した部分である延出部１２６ａ２と、を有している。重なり部１２６ａ１は、その下面の少なくとも一部が導光板２８の出射部２８ａの上面２８ａ１に接するように配置されている。
【００５１】
本実施形態における遮光シート３０は、出射部２８ａ側（Ｙ１方向側）の端部３０ｃが、第１光学シート１２６ａの延出部１２６ａ２の下面と導光板２８の出射部２８ａの上面２８ａ１との間に位置している。
【００５２】
また、遮光シート３０の接続部２８ｂ側（Ｙ２方向側）の端部３０ｄは、第２のフレキシブル配線基板２ｂの下面２ｂ１に接するように配置されている。遮光シート３０の上面３０ａのうち、接続部２８ｂ側（Ｙ２方向側）において、第２のフレキシブル配線基板２ｂと接する領域を接触領域３０ａ３とする。
【００５３】
遮光シート３０の下面３０ｂのうち、接続部２８ｂ側（Ｙ２方向側）の面３０ｂ２には、閉塞部材３１ｂが接着されている。閉塞部材３１ｂは、遮光シート３０の形状に合わせて変形可能であることが好ましい。
【００５４】
遮光基材３２は、接触領域３０ａ３よりも出射部２８ａ側（Ｙ１方向側）において、第２のフレキシブル配線基板２ｂの出射部２８ａ側（Ｙ１方向側）の下面２ｂ１の一部と、遮光シート３０の上面３０ａのうち、接続部２８ｂ側（Ｙ２方向側）の面３０ａ２との間に配置されている。
【００５５】
遮光基材３２は、例えば両面テープなどの粘着性を有する基材であり、第２のフレキシブル配線基板２ｂの下面２ｂ１と遮光シート３０の面３０ａ２に接着されている。これにより、第２のフレキシブル配線基板２ｂと遮光シート３０とは遮光基材３２を介して固定されて、閉塞部材３１ａ、遮光シート３０及び遮光基材３２は上下方向（Ｚ１、Ｚ２方向）において重なって配置される。
【００５６】
本実施形態における液晶表示装置１ｂは、このように閉塞部材３１ａ、遮光シート３０及び遮光基材３２が、第２のフレキシブル配線基板２ｂの出射部２８ａ側の下面２ｂ１と導光板２８の上面２８ａ１との間において重なって配置されることにより、遮光基材３２が閉塞部材３１ａ及び遮光シート３２と重なって配置されていない液晶表示装置と比べ、第２のフレキシブル配線基板２ｂと導光板２８の上面２８ａとの間の間隔がより広い範囲において塞がれる。これにより、本構成を有さない液晶表示装置と比べて、接続部２８ｂの上面２８ｂ１から出射された光が光学部材１２６の側面１２６ｃに到達することが防がれる。このため、液晶表示装置１ｂの画質の向上を実現させることができる。
【００５７】
また、本実施形態における液晶表示装置１ｂは、遮光シート３０の端部３０ｃが第１光学シート１２６ａの延出部１２６ａ２と導光板２８との間に位置することにより、本構成を有さない液晶表示装置と比べ、光学シート１２６ａの重なり部１２６ａ１が導光板２８の上面２８ａ１に広い範囲で接触しやすい。このため、液晶表示装置１ｂの輝度の向上を実現することができる。
【００５８】
また、遮光シート３０と光学部材１２６がこのように配置されることにより、本構成を有さない液晶表示装置と比べ、光学部材１２６全体のＺ１方向、Ｚ２方向の厚みを抑えることができる。このため、液晶表示装置１ｂの薄型化を実現することができる。
【００５９】
以上、本発明の実施形態を説明してきたが、本発明は、上述した実施形態には限られない。例えば、上述した実施形態で説明した構成は、実質的に同一の構成、同一の作用効果を奏する構成、又は同一の目的を達成することができる構成により置き換えてもよい。
【００６０】
図６は本発明の一実施形態に係る液晶表示装置の変形例を図３と同様の視野において示す概略断面図である。例えば、図６に示すように、液晶表示装置１ｃの遮光シート３０は、第２のフレキシブル配線基板２ｂの上面２ｂ２に接していてもよい。具体的には例えば、遮光シート３０の下面３０ｂのうち、接続部２８ｂ側（Ｙ２方向側）の面３０ｂ２は、両面テープなどの粘着層４０を介して第２のフレキシブル配線基板２ｂの上面２ｂ２に接着されていてもよい。
【００６１】
このように、遮光シート３０によって、接続部２８ｂの上面２８ｂ１からの光の出射が上面２８ｂ１と光学部材２６の側面２６ｃとの間において遮断されるのであれば、遮光シート３０を第２のフレキシブル配線基板２ｂの上方（Ｚ１方向側）に配置してもよい。
【符号の説明】
【００６２】
１ａ,１ｂ  液晶表示装置、２ａ  第１のフレキシブル配線基板、２ｂ  第２のフレキシブル配線基板、２ｂ１  下面、１０  液晶表示パネル、１２  第１基板、１４  第２基板、１４ａ  上面、１６  上偏光板、１６ａ  上面、１８  下偏光板、２０  バックライト、２３  底部材、２４  フレーム、２６  光学部材、２６ａ  光学シート、２６ｂ  側面、２６ｃ  下面、２７  発光素子、２８  導光板、２８ａ  出射部、２８ａ１  上面、２８ａ２  側面、２８ｂ  接続部、２８ｂ１  上面、２９  反射シート、３０  遮光シート、３０ａ  上面、３０ａ１,３０ａ２  面、３０ａ３  接触領域、３０ｂ  下面、３０ｂ１,３０ｂ２  面、３０ｃ,３０ｄ  端部、３１ａ,３１ｂ  閉塞部材、３２  遮光基材、１２６  光学部材、１２６ａ  第１光学シート、１２６ｂ  第２光学シート、１２６ａ１  重なり部、１２６ａ２  延出部、１２６ｃ  側面、２２６  光学部材、２２６ａ  第２光学シート、Ｙ１  出射部側、Ｄ  表示領域、Ｅ  非表示領域、Ｙ２  接続部側、Ｚ１  上方、Ｚ２  下方。
【図１】
2014222273.tif 000003
【図２】
2014222273.tif 000004
【図３】
2014222273.tif 000005
【図４】
2014222273.tif 000006
【図５】
2014222273.tif 000007
【図６】
2014222273.tif 000008